(57)【要約】【課題】小便器間に仕切り板を設けなくても利用者のプライバシーが保たれ、美観や意匠性にすぐれており、かつ効率よく施工できる小便器およびその小便器の施工方法を提供する。【解決手段】小便器１は、前面が開口された便器本体１０と、便器本体１０の背面側に配された、壁面３に取り付け固定される基盤部２０とを有している。基盤部２０の前面部２１は、側端部２２の少なくとも一方が中央部２３よりも前方に突出した形状とされ、前面部２１に便器本体１０が配置されている。【選択図】図１
2017172165.tif 000002
【特許請求の範囲】
【請求項１】
前面が開口された便器本体と、該便器本体の背面側に配された、壁面に取り付け固定される基盤部とを有した小便器において、
前記基盤部の前面部は、側端部の少なくとも一方が中央部よりも前方に突出した形状とされ、該前面部に前記便器本体が配置されていることを特徴とする小便器。
【請求項２】
請求項１において、
前記前面部は凹湾曲面に形成されている、小便器。
【請求項３】
請求項１または２において、
前記基盤部は、内部に機構部が収容される空間を有している、小便器。
【請求項４】
請求項１〜３のいずれか１項において、
前記基盤部は平板状の天板部を有している、小便器。
【請求項５】
請求項１〜４のいずれか１項において、
前記便器本体と前記基盤部とは樹脂で一体成形されている、小便器。
【請求項６】
請求項１〜５のいずれか１項において、
前記基盤部の両側端面は略同一形状、略同一寸法の平面とされる、小便器。
【請求項７】
請求項１〜６のいずれか１項に記載された小便器の前記基盤部の後部を、設置壁面よりも後方に埋め込むようにしたことを特徴とする小便器の施工方法。
【発明の詳細な説明】
【技術分野】
【０００１】
本発明は小便器およびその小便器の施工方法に関する。
【背景技術】
【０００２】
従来には、施工の簡便化を目的として、便器本体の背面に固定された板状の基盤部（バックボード）を有した小便器が提案されている（特許文献１参照）。この小便器は、便器本体が壁面に直接取り付けされず、便器本体の背面側に配されたバックボードを壁面に固定することで小便器が設置されるようになっている。
【０００３】
特に、小便器を公衆トイレなどで横方向に複数並べて壁面に設置する場合には、小便器どうしを適切な位置関係に設置しなければならないが、上記の基盤部付き小便器を用いれば、そのような位置関係を考慮した施工を迅速かつ確実に実施することができる。よって、施工の簡便化につながる。
【先行技術文献】
【特許文献】
【０００４】
【特許文献１】特開２０１３−８７５１８号公報
【発明の概要】
【発明が解決しようとする課題】
【０００５】
しかしながら、上記バックボードはたんなる取り付け用の板体であるため、それ自体に特段の意匠性はない。特許文献１の図２からも理解できるように、意匠性に関して、施工後の状態は従来の公衆トイレの設置態様とほとんど変わらない。
【０００６】
また、上記文献に記載された便器本体は形状的にはすっきりとして美観を創出するものであるが、側壁部の前方への突出程度が小さく、プライバシーが保たれず、プライバシー保護のためには、小便器間に仕切り板が必要となる。
【０００７】
しかし、小便器間に別体の仕切り板を設ければ当然に施工期間は長期化し、コスト（仕切り板の材料費、人工費）も多くかかる。また、仕切り板によって小便器の便器本体の大部分および利用者の身体の大部分は隠され、プライバシーは保たれるが、仕切り板を設けることだけでは、トイレ空間における美観や意匠性が向上することを期待することはできない。
【０００８】
もちろん、便器本体を、側壁部を高さ方向の全体について前方に大きく突出させた堅牢な構造のものにすればプライバシーは保たれるが、便器本体の見栄えについては重々しいばかりで、美観がよいとは言えない。
【０００９】
本発明は、このような問題を考慮して提案されたもので、その目的は、小便器間に仕切り板を設けなくても利用者のプライバシーが保たれ、美観や意匠性にすぐれており、かつ効率よく施工できる小便器およびその小便器の施工方法を提供することにある。
【課題を解決するための手段】
【００１０】
上記目的を達成するために、本発明に係る小便器は、前面が開口された便器本体と、便器本体の背面側に配された、壁面に取り付け固定される基盤部とを有した小便器において、基盤部の前面部は、側端部の少なくとも一方が中央部よりも前方に突出した形状とされ、前面部に便器本体が配置されていることを特徴とする。
【００１１】
また、本発明に係る小便器の施工方法は、前記小便器の基盤部の後部を、設置壁面よりも後方に埋め込むようにしたことを特徴とする。
【発明の効果】
【００１２】
本発明の小便器によれば、上述した構成となっているため、小便器間に仕切り板を設けなくても利用者のプライバシーが保たれる。また、意匠性にすぐれており、かつ効率よく施工することもできる。
【００１３】
また、本発明の小便器の施工方法によれば、上述した構成となっているため、利用者のプライバシーが保たれ、意匠性にすぐれた小便器を効率よく施工することができる。また、この方法によれば、上述の構成となっているため、基盤部の後方の一部を隠して意匠性のさらなる向上に寄与することができ、さらにトイレ空間を有効に活用することもできる。
【図面の簡単な説明】
【００１４】
【図１】本発明の一実施形態に係る小便器の斜視図である。
【図２】（ａ）は小便器の平面図、（ｂ）は小便器の横断面図（基盤部のみが横断面図、便器本体は平面図）である。
【図３】複数の小便器の設置態様を示す斜視図である。
【図４】（ａ）（ｂ）は、本発明の他の実施形態に係る小便器の２例を示した概略平面図である。
【発明を実施するための形態】
【００１５】
以下に、本発明の実施の形態に係る小便器について、添付図面をもとに説明する。
【００１６】
本小便器１は、前面が開口された便器本体１０と、便器本体１０の背面側に配された、壁面３に取り付け固定される基盤部２０とを有した便器である。基盤部２０の前面部２１は、側端部２２の少なくとも一方が中央部２３よりも前方に突出した形状とされ、その前面部２１に便器本体１０が配置されている。
【００１７】
本小便器１はこのような構成となっているため、小便器１間に仕切り板を設けなくても利用者のプライバシーを保護でき、意匠性を向上させることもできる。また、この小便器１によれば、基盤部２０を備えているため、その基盤部２０を壁面３に取り付けることができ、効率のよい施工を実施することができる。
【００１８】
ついで、小便器１の詳細な構成および施工方法について、図１〜図３をもとに説明する。
【００１９】
この小便器１は、便器本体１０と、基盤部２０とが樹脂で一体に成形された構造体である。
【００２０】
このように小便器１は樹脂で一体成形された構成であるため、製造過程において複数の部品を管理しなくてもよく、取り扱いもしやすいが、後述するように、別体どうしを固着した構成であってもよい。
【００２１】
便器本体１０は、小便を受けるための前面開口１２ａを有し、椀形状に形成されたボウル部１２が外郭部１１に囲まれて構成されている。この外郭部１１のうちの側壁部１１ａは、前方への突出程度が上端側では小さく、下方に向けて徐々に大きくなった傾斜形状である。つまり、この便器本体１０は、両側壁部１１ａが小用の際に男子の局部を両側より隠す構成とはなっておらず、美観を重視した形状となっている。なお、便器本体１０の形状については限定されないが、図例のように薄型で輪郭がすっきりしたシンプルな形状のものが小便器１全体としての美観を創出するうえで望ましい。
【００２２】
便器本体１０の背面側には基盤部２０が連成されている。この基盤部２０は、図２（ａ）に示すように、平面視では前面側が後方に凹湾曲した形状（略円弧形状）とされる。基盤部２０の上面、底面、両側面および背面は平面とされる。また、正面図、側面図および背面図は添付図を省略したが、前面部２１、両側面および背面は長方形とされる。また、上面および底面の形状は同じとされる。
【００２３】
前面部２１は、中央部２３が高さ方向に沿って均一な深さに凹んでおり、両方の側端部２２は互いに略同程度に前方に突出している（図２（ａ）参照）。つまり、両方の側面は互いに略同一形状、略同一寸法の平面とされる。特に、この小便器１の基盤部２０は略左右対称の形状となっている。
【００２４】
便器本体１０は、その背面が覆い隠されるように、基盤部２０の凹湾曲面を有した前面部２１の中央部２３に配置されている。よって、小便器１全体としても略左右対称な形状となっている。また、前面部２１にはさらに灰皿２８が形成されている。
【００２５】
本小便器１はこのような形状となっているため、図２（ａ）（ｂ）に示すように、便器本体１０は、その大部分が側方から視認しにくくなっている。なお、便器本体１０を側方から視認しにくいようにするためには、図１、図２に示した例のように、薄く形成された便器本体１０を、前面部２１のもっとも深い中央部２３に配設することが望ましい。
【００２６】
また、図２（ｂ）に示すように、基盤部２０はその外郭２４が板体で形成されており、背面側が開口している。つまり、基盤部２０は外郭２４をなす天板部２４ａ（図２（ａ）参照）、底板部２４ｂ、両側板部２４ｃおよび前板部２４ｄにより囲まれた空間２５を有している。この空間２５には機構部２６が収容されている。
【００２７】
図２（ｂ）では、機構部２６を模式的に図示したが、機構部２６としてはトラップや洗浄装置などが挙げられる。なお、基盤部２０の背面が開口しているため、機構部２６の一部が上記空間２５より後方にはみ出るような配置となっていてもよい。基盤部２０はこのような中空構造に限られず、内部に空間２５を有さない中実の構成であってもよい。
【００２８】
このように、基盤部２０は内部に機構部２６が収容される空間２５を有しているので、基盤部２０を有効に利用することができる。また、基盤部２０背面が開口しているので、機構部２６と外部排水設備との連設がしやすく、効率のよい施工を実現することができる。
【００２９】
この小便器１は基盤部２０の外郭２４の後端面がトイレ空間の壁面３に当接するように設置されてもよいが、図２（ａ）に示すように、小便器１を壁面３に対して、基盤部２１の後部２７を、壁面３よりも後方に埋め込むような施工方法を採ることも可能である。基盤部２０における埋め込む部位は、図２（ａ）に示すように基盤部２０の後部２７であるが、特にその埋め込み寸法は限定されない。
【００３０】
また、基盤部２０はボード状ではなく、上面を平面形状とした天板部２４ａを有しているため、その天板部２４ａを、利用者の荷物などを載置する物置台として使用することができる。基盤部２０の後部２７を埋め込むように施工する場合は、天板部２４ａの露出面積が小さくなるため、天板部２４ａの上に大きめの物置板３１を取り付けるようにしてもよい。
【００３１】
以上のような構成の小便器１によれば、便器本体１０が前面部２１の凹部に配された構成であるため、便器本体１０自体は見る方向によって死角に入りやすく、そのため美観はよくなる。また、前面部２１の凹湾曲面によりトイレ空間の壁面３自体が凹面のようにも見え、それによっても美観や意匠性が向上する。特に、本実施形態で例示した小便器１は基盤部２０の前面部２１が凹湾曲面となっているため、やわらかな意匠性を創出することもできる。またさらに、小便器１を前方から見た場合には当然に便器本体１０が視界に入るが、便器本体１０は輪郭がすっきりとしたシンプルな形状となっているため、その便器本体１０の形状と、基盤部２０の凹湾曲面との相乗効果により、すぐれた美観を創出する。
【００３２】
また、基盤部２０の両方の側端部２２が前方に突出しているため、図３に示すように、公衆トイレなどで複数のものが横並びに設置された場合には、側端部２２が仕切り板として作用し、便器本体１０の大部分および利用者の身体の大部分は側方からほとんど見られない。この側端部２２は、前方への突出程度の小さい本便器本体１０の側壁部１１ａの代わりとなり、小用の際の男子の局部を両側方から隠すように作用する。こうして、この小便器１は基盤部２０によって利用者のプライバシーが保護される。
【００３３】
このような横並びの小便器群は、図３に示すように、小便器１の基盤部２０の側面どうしを固着するようにして設置されるようにすればよい。また図３に示したように、基盤部２０の後部２７を埋め込むように施工することが望ましい。
【００３４】
このように基盤部２０の側面どうしを固着させる施工方法を採用すれば、基盤部２０の側面が露出しないため、基盤部２０の少なくとも一方の側面に側板部２４ｃを設けない、側方が開口した構成としてもよい。
【００３５】
また、本小便器１は基盤部２０の両方の側面は互いに略同一形状、略同一寸法の平面である（本例では基盤部２０が左右対称）から、図３のように小便器１を並べて設置した場合でも、小便器１間の連設部分に側端部２２の突出ずれや上端面のずれが生じない。また、前面部２１の凹湾曲面が複数連続するので、連続模様のような美観を創出し、さらに意匠性は向上する。
【００３６】
また、図３に示すように、基盤部２０の後部２７が埋め込まれるような施工方法を採用すれば、トイレ空間を適切な大きさに調節することができる。特に、基盤部２０を深く埋設するように施工すれば、トイレ空間を広く形成することができ、広々とした空間を創出できる。また、基盤部２０の後部２７を埋め込むことで、基盤部２０の成形誤差（特に奥行き）を調整して前端を揃えることもできる。
【００３７】
以上に説明した本小便器１は、基盤部２０が左右対称形状であり、便器本体１０の配置位置も略中央であり全体としても左右対称形状となっているが、そのようなものには限られない。
【００３８】
たとえば、図４（ａ）に示したような、左右非対称な基盤部２０を用いた小便器１であってもよい。具体的には、図４（ａ）に示した小便器１は、基盤部２０の前面部２１が凹湾曲面を有し、凹部形状となっているが、側端部２２についてはその一方だけが前方に突出している。また便器本体１０の配設位置は前面部２１の中央ではなく、突出した側端部２２寄りとなっている。
【００３９】
このような構成であるため、利用者は、隣接する（図中の右側の）小便器１の利用者に背中を向けることとなり、利用者の前面が隣の利用者の視界に入ることはなく、プライバシーが保たれる。
【００４０】
また、前方に突出した側端部２２が図４（ａ）の例のように一方側のみであっても、その一方の側端部２２が隣り合う便器本体１０間の仕切りとなり得るので、問題はない。なお、突出した側端部２２は仕切り板として作用するため、図１と同様、便器本体１０が中央部２３に配設された構成であってもよい。
【００４１】
なお、図４（ａ）の小便器１の基盤部２０の前面部２１は凹湾曲面をなしているが、平面をなしたものであってもよい。すなわち基盤部２０は、少なくとも側端部２２の一方が中央部２３より前方に突出したものであればよい。
【００４２】
また、図４（ａ）の小便器１のように基盤部２０の両方の側面の形状、寸法が異なれば小便器１間で段差が生じるが、それは突出ずれではないため、その段差により意匠性が低下することはない。同一形状の複数の小便器１が等ピッチで設置されたものであるため、むしろ意匠性の向上につながる。
【００４３】
また、基盤部２０の前面部２１は凹湾曲面でなくてもよく、図４（ｂ）のように複数の平面を連ねた平面凹部３３で構成されたものであってもよい。図例では、便器本体１０が前面部２１における平面凹部３３の中央面３３ａに配設されているが、左右面３３ｂに設けられるようにしてもよい。
【００４４】
このように、図４（ｂ）に示した小便器１には前面部２１が複数の平面（平坦面）で形成されているため、便器本体１０、基盤部２０を別体で構成した場合に、前面部２１に対して便器本体１０の取り付けがしやすい。
【００４５】
また、相互別体の便器本体１０、基盤部２０を合体させて小便器１を形成するものには、たとえば図４（ｂ）のように便器本体１０を種々の位置に配設することができる。このような別体構成によれば、トイレ空間の形状、寸法に合わせて便器本体１０の配置位置を種々調整することができる。それによって意匠性や美観の向上を図ることができる。
【００４６】
以上に説明した種々の小便器１は、いずれも基盤部２０の背面形状が寸法の定まった長方形であるため、小便器１（便器本体１０）を、便器本体１０間寸法が一定になるように適切な位置に設置しやすく、迅速で効率のよい施工を実現することができる。
【符号の説明】
【００４７】
１          小便器
３          壁面
１０        便器本体
１２ａ      前面開口
２０        基盤部
２１        前面部
２２        側端部
２３        中央部
２５        空間
２６        機構部
２７        後部
【図１】
2017172165.tif 000003
【図２】
2017172165.tif 000004
【図３】
2017172165.tif 000005
【図４】
2017172165.tif 000006